(57)【要約】【課題】ベッドに仰臥する利用者に遠赤外線を放射し、更にはサウナの作用とともに芳香をもたらし、美容、健康とともに、精神面の安定等の作用、効果も期待される岩盤浴用ベッドを提供する。【解決手段】本考案の岩盤浴用ベッド１は、枠体１１と、枠体の一端側に設けられた頭部載置台１１１と、枠体の一端側と対向する他端側とに設けられた脚体１２と、枠体の内側に配設され、且つ一部に多数の開孔が設けられたベッド基板と、ベッド基板の開孔が設けられていない部分の上面の少なくとも一部に配設された面状発熱体と、面状発熱体の表面とベッド基板の上面の面状発熱体が配設されていない他部とに敷設され、且つ網状体に多数の遠赤外線放射片が収納されてなる複数の遠赤外線放射片収納体１５と、を備える。【選択図】図３
0003127019.tif 000002
【実用新案登録請求の範囲】
【請求項１】
枠体と、
該枠体の一端側に設けられた頭部載置台と、
該枠体の上記一端側と該一端側に対向する他端側とに設けられた脚体と、
該枠体の内側に配設され、且つ一部に多数の開孔が設けられたベッド基板と、
該ベッド基板の該開孔が設けられていない部分の上面の少なくとも一部に配設された面状発熱体と、
該面状発熱体の表面と該ベッド基板の該上面の面状発熱体が配設されていない他部とに敷設され、且つ網状体に多数の遠赤外線放射片が収納されてなる複数の遠赤外線放射片収納体と、を備えることを特徴とする岩盤浴用ベッド。
【請求項２】
上記ベッド基板は、上記枠体の内側面と上記頭部載置台の側面とに囲まれて配設されている請求項１に記載の岩盤浴用ベッド。
【請求項３】
上記遠赤外線放射片収納体が敷設された部分を覆うドームが配設された請求項２に記載の岩盤浴用ベッド。
【請求項４】
上記ドームは、上記頭部載置台側の頭部載置台側ドーム部と、上記枠体の上記他端側の他端側ドーム部とに分割されており、該頭部載置台側ドーム部は該他端側ドーム部の方向へと移動可能である請求項３に記載の岩盤浴用ベッド。
【請求項５】
上記頭部載置台側ドーム部の内径が、上記他端側ドーム部の外径より最大で１５ｍｍ大きい請求項４に記載の岩盤浴用ベッド。
【請求項６】
上記ベッド基板の下方に水蒸気供給手段を有し、且つ上記枠体の下面のうちの上記頭部載置台の下面を除く部分と、該水蒸気供給手段が収納された水蒸気供給手段収納部の上面との間に蒸気散逸防止用フードが配設された請求項５に記載の岩盤浴用ベッド。
【請求項７】
上記ベッド基板の下方に更に芳香供給手段を有する請求項６に記載の岩盤浴用ベッド。
【請求項８】
上記枠体の上面に溝が設けられ、又は該枠体の上縁部に上面に溝が設けられた溝部材が取り付けられ、該溝に上記頭部載置台側ドーム部の幅方向の両端部が嵌め込まれている請求項７に記載の岩盤浴用ベッド。
【請求項９】
上記ベッド基板が、上記枠体の内側面の間、又は該枠体の該内側面と上記頭部載置台の側面との間、に架け渡された支持部材により支持されている請求項７又は８に記載の岩盤浴用ベッド。
【請求項１０】
上記網状体が合成樹脂製である請求項７乃至９のうちのいずれか１項に記載の岩盤浴用ベッド。
【請求項１１】
上記遠赤外線放射片が球状体であり、該球状体の寸法が５〜２０ｍｍである請求項１０に記載の岩盤浴用ベッド。
【請求項１２】
上記開孔の寸法が２〜５０ｍｍであり、且つ該開孔の合計面積の、上記面状発熱体が配設されていない部分の合計面積に対する割合が２０〜７０％である請求項１１に記載の岩盤浴用ベッド。
【請求項１３】
上記頭部載置台側ドーム部の上記枠体の上記一端側の方向の端部に開閉可能なカバー部材が取着された請求項１２に記載の岩盤浴用ベッド。
【請求項１４】
上記ドームは内部に断熱材が充填された二重壁構造である請求項１３に記載の岩盤浴用ベッド。
【請求項１５】
上記頭部載置台側ドーム部及び上記他端側ドーム部の各々の内面に面状発熱体が配設された請求項１４に記載の岩盤浴用ベッド。
【請求項１６】
上記ドームは、上記他端側ドーム部の上記枠体の上記他端側の方向の端部を支軸として上方に回転可能な請求項１５に記載の岩盤浴用ベッド。
【請求項１７】
上記他端側ドーム部の上記枠体の上記他端側の方向の端部に開閉可能な蓋体が取着された請求項１５又は１６に記載の岩盤浴用ベッド。
【請求項１８】
上記水蒸気供給手段は、加熱水用容器と、複数の開口部を有し、且つ該加熱水用容器の上面を覆うための蓋体と、該加熱水用容器を加熱するための加熱手段とを備える請求項１５乃至１７のうちのいずれか１項に記載の岩盤浴用ベッド。
【請求項１９】
上記加熱水用容器に更に芳香剤が入れられている請求項１８に記載の岩盤浴用ベッド。
【請求項２０】
上記遠赤外線放射片収納体の平面形状が方形であり、複数の該遠赤外線放射片収納体が上記ベッド基板の全面に敷き詰められている請求項６乃至１９のうちのいずれか１項に記載の岩盤浴用ベッド。
【請求項２１】
上記水蒸気供給手段収納部の下面に水滴受け皿が配置された請求項６乃至２０のうちのいずれか１項に記載の岩盤浴用ベッド。
【考案の詳細な説明】
【技術分野】
【０００１】
本考案は、岩盤浴用ベッドに関する。更に詳しくは、本考案は、ベッドに仰臥する利用者に遠赤外線を放射し、更にはサウナの作用とともに芳香をもたらし、美容、健康とともに、精神面の安定等の作用、効果も期待される岩盤浴用ベッドに関する。
【背景技術】
【０００２】
近年、湯浴、サウナ等の他に岩盤浴が普及し、美容、健康等を目的として利用者が増加する傾向にある。この岩盤浴には、例えば、天然鉱石及び各種セラミック等の遠赤外線を放射する材料、又はこの遠赤外線放射材料に他の物質を配合してなる混合材料等を用いて成形されたタイル状、敷石状等の成形体を敷きつめて形成されたベッドが用いられることが多い。また、ベッドの寸法に成形された成形体が用いられることもある。更に、遠赤外線放射の他に、電気石等から発生するマイナスイオンにより発汗作用等を促す岩盤浴も提供されている。
【０００３】
より具体的には、床暖房システム上にトルマリン鉱石をモルタル等で固めて形成したベッドを有する岩盤浴用ベッドが知られている（例えば、特許文献１参照。）。また、熱源部と、この熱源部によって加熱される蒸気熱発生部と、発生する蒸気熱を熱伝導する多孔質岩盤とからなる岩盤浴用装置が知られている。更に、この岩盤浴用装置では、温泉水を用いることにより、ミネラル及び薬効成分等による温熱治療効果なども得られると説明されている（例えば、特許文献２参照。）。
【０００４】
【特許文献１】特開２００４−１３００４７号公報
【特許文献２】特開２００６−２５８５９号公報
【考案の開示】
【考案が解決しようとする課題】
【０００５】
しかし、上記の特許文献１、２に記載された岩盤浴用ベッドでは、ベッドは平坦で、且つ固く、感触のよいものではない。また、芳香による精神面の安定等の作用、効果は何ら考慮されていない。更に、サウナとしての作用、効果、及び保温等の面での更なる改良等も必要とされている。
本考案は、上記の従来の状況に鑑みてなされたものであり、ベッドに仰臥する利用者に遠赤外線を放射し、更にはサウナの作用とともに芳香をもたらし、美容、健康とともに、精神面の安定等の作用、効果も期待される岩盤浴用ベッドを提供することを目的とする。
【課題を解決するための手段】
【０００６】
本考案は以下のとおりである。
１．枠体と、該枠体の一端側に設けられた頭部載置台と、該枠体の上記一端側と該一端側に対向する他端側とに設けられた脚体と、該枠体の内側に配設され、且つ一部に多数の開孔が設けられたベッド基板と、該ベッド基板の該開孔が設けられていない部分の上面の少なくとも一部に配設された面状発熱体と、該面状発熱体の表面と該ベッド基板の該上面の面状発熱体が配設されていない他部とに敷設され、且つ網状体に多数の遠赤外線放射片が収納されてなる複数の遠赤外線放射片収納体と、を備えることを特徴とする岩盤浴用ベッド。
２．上記ベッド基板は、上記枠体の内側面と上記頭部載置台の側面とに囲まれて配設されている上記１．に記載の岩盤浴用ベッド。
３．上記遠赤外線放射片収納体が敷設された部分を覆うドームが配設された上記２．に記載の岩盤浴用ベッド。
４．上記ドームは、上記頭部載置台側の頭部載置台側ドーム部と、上記枠体の上記他端側の他端側ドーム部とに分割されており、該頭部載置台側ドーム部は該他端側ドーム部の方向へと移動可能である上記３．に記載の岩盤浴用ベッド。
５．上記頭部載置台側ドーム部の内径が、上記他端側ドーム部の外径より最大で１５ｍｍ大きい上記４．に記載の岩盤浴用ベッド。
６．上記ベッド基板の下方に水蒸気供給手段を有し、且つ上記枠体の下面のうちの上記頭部載置台の下面を除く部分と、該水蒸気供給手段が収納された水蒸気供給手段収納部の上面との間に蒸気散逸防止用フードが配設された上記５．に記載の岩盤浴用ベッド。
７．上記ベッド基板の下方に更に芳香供給手段を有する上記６．に記載の岩盤浴用ベッド。
８．上記枠体の上面に溝が設けられ、又は該枠体の上縁部に上面に溝が設けられた溝部材が取り付けられ、該溝に上記頭部載置台側ドーム部の幅方向の両端部が嵌め込まれている上記７．に記載の岩盤浴用ベッド。
９．上記ベッド基板が、上記枠体の内側面の間、又は該枠体の該内側面と上記頭部載置台の側面との間、に架け渡された支持部材により支持されている上記７．又は８．に記載の岩盤浴用ベッド。
１０．上記網状体が合成樹脂製である上記７．乃至９．のうちのいずれか１項に記載の岩盤浴用ベッド。
１１．上記遠赤外線放射片が球状体であり、該球状体の寸法が５〜２０ｍｍである上記１０．に記載の岩盤浴用ベッド。
１２．上記開孔の寸法が２〜５０ｍｍであり、且つ該開孔の合計面積の、上記面状発熱体が配設されていない部分の合計面積に対する割合が２０〜７０％である上記１１．に記載の岩盤浴用ベッド。
１３．上記頭部載置台側ドーム部の上記枠体の上記一端側の方向の端部に開閉可能なカバー部材が取着された上記１２．に記載の岩盤浴用ベッド。
１４．上記ドームは内部に断熱材が充填された二重壁構造である上記１３．に記載の岩盤浴用ベッド。
１５．上記頭部載置台側ドーム部及び上記他端側ドーム部の各々の内面に面状発熱体が配設された上記１４．に記載の岩盤浴用ベッド。
１６．上記ドームは、上記他端側ドーム部の上記枠体の上記他端側の方向の端部を支軸として上方に回転可能な上記１５．に記載の岩盤浴用ベッド。
１７．上記他端側ドーム部の上記枠体の上記他端側の方向の端部に開閉可能な蓋体が取着された上記１５．又は１６．に記載の岩盤浴用ベッド。
１８．上記水蒸気供給手段は、加熱水用容器と、複数の開口部を有し、且つ該加熱水用容器の上面を覆うための蓋体と、該加熱水用容器を加熱するための加熱手段とを備える上記１５．乃至１７．のうちのいずれか１項に記載の岩盤浴用ベッド。
１９．上記加熱水用容器に更に芳香剤が入れられている上記１８．に記載の岩盤浴用ベッド。
２０．上記遠赤外線放射片収納体の平面形状が方形であり、複数の該遠赤外線放射片収納体が上記ベッド基板の全面に敷き詰められている上記６．乃至１９．のうちのいずれか１項に記載の岩盤浴用ベッド。
２１．上記水蒸気供給手段収納部の下面に水滴受け皿が配置された上記６．乃至２０．のうちのいずれか１項に記載の岩盤浴用ベッド。
【考案の効果】
【０００７】
本考案の岩盤浴用ベッドによれば、ベッド基板上に遠赤外線放射片収納体が敷設されているため、ベッドに仰臥したときの感触が良好であり、利用者に遠赤外線が十分に放射され、且つ優れた温浴効果が得られる。
また、ベッド基板が、枠体の内側面と頭部載置台の側面とに囲まれて配設されている場合は、より安定した構造の岩盤浴用ベッドとすることができる。
更に、遠赤外線放射片収納体が敷設された部分を覆うドームが配設された場合は、より優れた保温性等を有する岩盤浴用ベッドとすることができる。
また、ドームが、頭部載置台側の頭部載置台側ドーム部と、枠体の他端側の他端側ドーム部とに分割されており、頭部載置台側ドーム部が他端側ドーム部の方向へと移動可能である場合は、利用者がドームに出入りし易い岩盤浴用ベッドとすることができる。
更に、頭部載置台側ドーム部の内径が、他端側ドーム部の外径より最大で１５ｍｍ大きい場合は、頭部載置台側ドーム部の他端側ドーム部の方向への移動がより容易な岩盤浴用ベッドとすることができる。
また、ベッド基板の下方に水蒸気供給手段を有し、且つ枠体の下面のうちの頭部載置台の下面を除く部分と、水蒸気供給手段が収納された水蒸気供給手段収納部の上面との間に蒸気散逸防止用フードが配設された場合は、発生した水蒸気がベッド基板に設けられた開孔からドーム内に供給され、サウナとしての作用、効果が十分に得られ、発生する水蒸気及び芳香の外部への散逸が十分に抑えられ、水蒸気と芳香とをドーム内により効率よく供給し得る岩盤浴用ベッドとすることができる。
更に、ベッド基板の下方に更に芳香供給手段を有する場合は、水蒸気とともに芳香がドーム内に供給され、精神面の安定等の作用、効果も併せて得られる岩盤浴用ベッドとすることができる。
また、枠体の上面に溝が設けられ、又は枠体の上縁部に上面に溝が設けられた溝部材が取り付けられ、溝に頭部載置台側ドーム部の幅方向の両端部が嵌め込まれている場合は、頭部載置台側ドーム部の他端側ドーム部の方向への移動がより容易な岩盤浴用ベッドとすることができる。
更に、ベッド基板が、枠体の内側面の間、又は枠体の内側面と頭部載置台の側面との間、に架け渡された支持部材により支持されている場合は、ベッド基板が十分に支持され、安定な岩盤浴用ベッドとすることができる。
また、網状体が合成樹脂製である場合は、利用者が遠赤外線放射片収納体上に直接仰臥したときでも十分に感触のよい岩盤浴用ベッドとすることができる。
更に、遠赤外線放射片が球状体であり、その寸法が５〜２０ｍｍである場合は、利用者が遠赤外線放射片収納体上に直接仰臥したときでも十分に感触がよく、併せて適度なマッサージ効果も得られる岩盤浴用ベッドとすることができる。
また、開孔の寸法が２〜５０ｍｍであり、且つ開孔の合計面積の、面状発熱体が配設されていない部分の合計面積に対する割合が２０〜７０％である場合は、開孔から遠赤外線放射片収納体が過度に垂れ下がったり、収納体が破損して遠赤外線放射片が落下したりすることがなく、水蒸気及び芳香等がベッド基板の下面から上面へと通過し易く、水蒸気及び芳香等を利用者に十分に供給することができる岩盤浴用ベッドとすることができる。
更に、頭部載置台側ドーム部の枠体の一端側の方向の端部に開閉可能なカバー部材が取着された場合は、この端部からの暖気及び水蒸気等の散逸が抑えられ、より優れた保温性等を有する岩盤浴用ベッドとすることができる。
また、ドームが内部に断熱材が充填された二重壁構造である場合は、特に優れた保温性等を有する岩盤浴用ベッドとすることができる。
更に、頭部載置台側ドーム部及び他端側ドーム部の各々の内面に面状発熱体が配設された場合は、ドームの内部をより十分に加温することができ、且つ温度を調整することもできる岩盤浴用ベッドとすることができる。
また、ドームが、他端側ドーム部の枠体の他端側の方向の端部を支軸として上方に回転可能である場合は、利用者がドームにより出入りし易いとともに、内面の清掃等も容易な岩盤浴用ベッドとすることができる。
更に、他端側ドーム部の枠体の他端側の方向の端部に開閉可能な蓋体が取着された場合は、この蓋体の開閉により、特に利用者の下半身側における過度な加温、加湿等を調節し得る岩盤浴用ベッドとすることができる。
また、水蒸気供給手段が、加熱水用容器と、複数の開口部を有し、且つ加熱水用容器の上面を覆うための蓋体と、加熱水用容器を加熱するための加熱手段とを備える場合は、取り扱いが容易であり、容器への水及び芳香剤の供給等の作業性に優れる岩盤浴用ベッドとすることができる。
更に、加熱水容器に更に芳香剤が入れられている場合は、水蒸気とともに芳香がドーム内に供給され、精神面の安定等の作用、効果も併せて得られる岩盤浴用ベッドとすることができる。
また、遠赤外線放射片収納体の平面形状が方形であり、複数の遠赤外線放射片収納体がベッド基板の全面に敷き詰められている場合は、利用者が遠赤外線放射片収納体上に直接仰臥したときでもより優れた感触を有する岩盤浴用ベッドとすることができる。
更に、水蒸気供給手段収納部の下面に水滴受け皿が配置された場合は、ベッドが配設された施設の床面に、生成した凝縮水が流出することのない岩盤浴用ベッドとすることができる。
【考案を実施するための最良の形態】
【０００８】
以下、図１〜１５を参照しながら本考案を詳しく説明する。
本考案の岩盤浴用ベッド１は、枠体１１と、枠体１１の一端側に設けられた頭部載置台１１１と、枠体１１の一端側と他端側とに設けられた脚体１２と、枠体１１の内側に配設されたベッド基板１３と、ベッド基板１３の上面の一部に配設された面状発熱体１４と、面状発熱体１４の表面とベッド基板１３の上面とに敷設された遠赤外線放射片収納体１５と、を備える。
ベッド基板１３は、一部に多数の開孔１３１が設けられ、ベッド基板１３の開孔が設けられていない部分の少なくとも一部に面状発熱体１４が配設されている（図８〜１０参照）。また、遠赤外線放射片収納体１５は、面状発熱体１４の表面とベッド基板１３の上面のうちの面状発熱体が配設されていない他部とに敷設され、且つ網状体１５１に多数の遠赤外線放射片１５２が収納されてなる（図７参照）。
【０００９】
［１］枠体、頭部載置台及び脚体
上記「枠体１１」は、岩盤浴用ベッド１（以下、単にベッド１ということもある。）の外形を形成するものである。この外形は、外形内に利用者が仰臥することができる限り特に限定されない。例えば、長方形又は四隅が丸みを帯びた略長方形、楕円形等とすることができ、通常、長方形（図１〜５及び１５参照）又は四隅が丸みを帯びた略長方形である。この外形の寸法も特に限定されず、外形内に利用者が仰臥することができる大きさであればよく、例えば、就寝用のベッドと同程度の大きさとすることができる。また、枠体１１の材質も、付設される他部材及び利用者の重量等に耐えられる限り特に限定されず、木材、合成樹脂、金属等を用いることができ、外観及び触れたときの風合い等に優れる木材が好ましい。
尚、上記の「仰臥」は、直接的には仰向けに寝ることを意味する用語であるが、本考案では、上記「仰臥する」に、横向きに寝る場合、及びうつぶせに寝る場合も含めるものとする。
【００１０】
上記「頭部載置台１１１」は、利用者が頭部を載せるための載置台であり、枠体１１の長手方向の一端側に設けられる（図１〜６及び８〜１０参照）。この頭部載置台１１１の寸法は特に限定されず、利用者が頭部を載せることができる大きさであればよい。頭部載置台１１１の寸法は、例えば、枠体１１の長手方向の一端側の内寸と同幅とし、且つ枠体１１の長手方向における長さを２５０〜５００ｍｍ、特に３００〜４００ｍｍとすることができる。頭部載置台１１１の材質も特に限定されず、木材、合成樹脂、金属等を用いることができる。また、頭部載置台１１１の材質は、枠体１１の材質と同じであってもよく、異なっていてもよい。更に、頭部載置台１１１は枠体１１と別体であって、枠体１１にネジ及びビス、ナット等により取着し、設けることができる。また、枠体１１と頭部載置台１１１とがともに合成樹脂からなるときは、これらを型成形等によって一体に成形して設けることもできる。
【００１１】
上記「脚体１２」は、枠体１１の一端側と他端側とに設けられる。また、脚体１２は、強度等の観点から、一端側と他端側との中間部に更に設けることもできる。脚体１２の断面形状は特に限定されず、例えば、長方形、正方形、円形、楕円形等とすることができる。この脚体１２は、少なくとも枠体１１の四隅に取着された柱状体とすることができる（図１〜５及び１５参照）。また、脚体１２は、少なくとも枠体１１の一端側及び他端側の各々の端部に取着され、枠体１１の幅方向の長さと同程度の寸法の幅を有する幅広の板状体とすることができる。脚体１２が幅広の板状体である場合、中央部が下方に大きく切り欠かれた形状であってもよく、少なくとも１個の開口部が設けられていてもよい。この開口部の形状は特に限定されず、長方形、正方形、円形、楕円形及びその他の各種の形状とすることができる。開口部の寸法も特に限定されないが、開口部の形状と個数及び脚体１２の強度等を勘案しながら設定することが好ましい。
【００１２】
脚体１２の材質も、付設される他部材及び利用者の重量等を支持することができる限り特に限定されず、木材、合成樹脂、金属等を用いることができる。また、脚体１２の材質は、枠体１１と頭部載置台１１１とが同材質であるときは、これらの材質と同じであってもよく、異なっていてもよい。更に、枠体１１と頭部載置台１１１の材質が異なるときは、いずれか一方と同材質であってもよく、いずれとも異なっていてもよい。また、脚体１２は枠体１１と別体であって、枠体１１にネジ及びビス、ナット等により取着し、設けることができる。更に、枠体１１、頭部載置台１１１及び脚体１２がいずれも合成樹脂からなるときは、これらを型成形等によって一体に成形することもできる。
【００１３】
［２］ベッド基板
上記「ベッド基板１３」は、枠体１１の内側に配設され、且つ一部に多数の開孔１３１が設けられている。このベッド基板１３は、枠体１１の内側面と頭部載置台１１１の側面とに囲まれて配設されていることが好ましい（図８〜１０参照）。ベッド基板１３は、枠体１１の内側に形成された段差に載置されて配設されていてもよく、枠体１１の内側にネジ及びビス、ナット等により取着され、配設されていてもよい。また、枠体１１の内側に形成された段差に載置され、且つ枠体１１の内側にネジ及びビス、ナット等により取着され、配設されていてもよい。更に、ベッド基板１３は、枠体１１の内側面の間、又は枠体１１の内側面と頭部載置台１１１の側面との間、に支持部材を架け渡し、この支持部材により支持されて配設されていてもよい。また、ベッド基板１３は、枠体１１の内側に形成された段差に載置されて配設され、及び／又は枠体１１の内側にネジ及びビス、ナット等により取着されて配設され、且つ支持部材により支持されて配設されていてもよい。ベッド基板１３の材質は特に限定されないが、ベッド基板１３は、利用者の頭部を除く他部の重量、及び遠赤外線放射片収納体１５等の重量を支持することができる強度を必要とし、多数の開孔１３１が設けられていることもあって、通常、金属が用いられる。この金属は特に限定されないが、下方から水蒸気が供給される場合を考慮すると、優れた耐食性を有することが好ましく、優れた強度と耐食性とを併せて有するにステンレス鋼を用いることが好ましい。
【００１４】
ベッド基板１３に設けられている開孔１３１の寸法は特に限定されないが、２〜５０ｍｍであることが好ましく、５〜２０ｍｍであることがより好ましい。また、開孔１３１の合計面積の、面状発熱体が配設されていない部分の合計面積に対する割合も特に限定されないが、２０〜７０％であることが好ましく、３０〜５０％であることがより好ましい。更に、開孔１３１の寸法が２〜５０ｍｍであり、且つ開孔１３１の合計面積の、面状発熱体が配設されていない部分の合計面積に対する割合が２０〜７０％であることが好ましい。また、開孔１３１の寸法が５〜２０ｍｍであり、且つ開孔１３１の合計面積の、面状発熱体が配設されていない部分の合計面積に対する割合が３０〜５０％であることがより好ましい。
【００１５】
開孔１３１はベッド基板１３の一部に設けられている。この開孔１３１は、複数の開孔の集合体として帯状及び／又はスポット状に設けられており、一部とは、この帯状及び／又はスポット状の開孔の集合体の全体を意味する。この帯状及び／又はスポット状の開孔の集合体は、後記の水蒸気供給手段１７１が配設されている枠体１１の一端側（利用者の上体側）では多数（従って、開孔の面積割合も大きい。）設けられ、枠体１１の他端側（利用者の足側）では相対的に少数（従って、開孔の面積割合も小さくなる。）設けられている態様とすることができる。このようにすれば、利用者の上体側にはより多くの水蒸気を供給することができ、利用者の足側では相対的に少量の水蒸気が供給されることになる。また、帯状及び／又はスポット状の開孔の集合体は、ベッド基板１３の全面に均等に存在させることもできる（図８〜１０参照）。この態様であれば、水蒸気をベッド基板１３の上面側に均等に供給することができる。
【００１６】
［３］面状発熱体
上記「面状発熱体１４」は、ベッド基板１３の開孔１３１が設けられていない部分の上面の少なくとも一部に配設される。この面状発熱体１４は特に限定されず、一般に供給されているものをそのまま用いることができる。面状発熱体１４は、ベッド基板１３の開孔１３１が設けられていない部分の上面の少なくとも一部に配設されるが、この上面の面積の５０％以上、特に７０％以上、更に９０％以上（通常、９５％以下）に配設されていることが好ましい。
【００１７】
また、ベッド基板１３の一部に開孔１３１が設けられ、ベッド基板１３の開孔１３１が設けられていない部分の上面の少なくとも一部に面状発熱体１４が配設されているが、開孔１３１は、ベッド基板１３の開孔１３１が設けられている部分において平面方向に均等に設けられていることが好ましい。更に、面状発熱体１４は、ベッド基板１３の平面方向において、開孔１３１が設けられていない部分の多くに配設されていることが好ましい。このようなベッド基板１３であれば、ベッド基板１３の上面側、及びその上方を十分に加温することができる。
【００１８】
面状発熱体１４の平面形状は特に限定されないが、例えば、ベッド基板１３の幅方向に長い複数の帯状体（平面形状が長方形）からなる面状発熱体１４とすることができる（図８参照）。また、ベッド基板１３の幅方向に長く、且つ蛇行する複数の帯状体からなる面状発熱体１４とすることもできる（図９参照）。更に、帯状の複数の面状発熱体１４が交差してなる格子状の面状発熱体１４とすることもできる（図１０参照）。また、この面状発熱体１４の平面形状は、ベッド基板１３における開孔１３１が設けられる位置によって決定されることになる。
【００１９】
［４］遠赤外線放射片収納体
上記「遠赤外線放射片収納体１５」は、網状体１５１に多数の遠赤外線放射片１５２が収納されてなる（図７参照）。網状体１５１の材質は特に限定されず、合成樹脂、合成ゴム、金属等を用いることができる。遠赤外線放射片収納体１５は、その上に利用者が直接仰臥することがあり、その場合、網状体１５１は柔軟性があり、感触のよい合成樹脂、合成ゴムからなることが好ましく、強度を勘案すると合成樹脂からなることがより好ましい。この合成樹脂は特に限定されず、ポリオレフィン、ポリアミド、ポリエステル等を用いることができる。網状体１５１の網目の寸法も、収納される遠赤外線放射片１５２が漏出しない限り、特に限定されない。
【００２０】
遠赤外線放射片１５２は、遠赤外線放射材料からなる小片である。この遠赤外線放射材料は特に限定されず、例えば、黒鉛珪石（ブラックシリカ）、大谷石、甦生石、天降石、電気石（トルマリン）等の遠赤外線放射鉱物、金属ゲルマニウム等の金属、アルミナ、ムライト、コージェライト、ジルコニア等の酸化物セラミックス、窒化珪素、窒化硼素、窒化アルミニウム等の窒化物セラミックス、炭化珪素等の珪化物セラミックス、酸化クロム、酸化マンガン、酸化鉄等のその他の金属酸化物などが挙げられる。これらの遠赤外線放射材料は１種のみ用いてもよいし、２種以上を併用してもよい。
【００２１】
遠赤外線放射片１５２の形状は特に限定されないが、特に遠赤外線放射片収納体１５の上に利用者が直接仰臥する場合の感触等を考慮すると、球状体、楕円状体等であることが好ましく、球状体であることがより好ましい。また、遠赤外線放射片１５２の寸法も特に限定されないが、特に遠赤外線放射片収納体１５の上に利用者が直接仰臥する場合の感触等を考慮すると、遠赤外線放射片は、球状体であって、且つその寸法が５〜２０ｍｍであることが好ましく、この寸法は７〜１５ｍｍであることがより好ましい。
【００２２】
遠赤外線放射片収納体１５は、面状発熱体１４の表面とベッド基板１３の上面の面状発熱体が配設されていない他部とに敷設されている。即ち、遠赤外線放射片収納体１５は、一部で面状発熱体１４を介してベッド基板１３の上面の全面に敷設されていることが好ましい。従って、遠赤外線放射片収納体１５の平面形状は、ベッド基板１３の上面に隙間なく敷き詰めることができる形状であることが好ましい。また、各々の遠赤外線放射片収納体１５の平面形状は同じであってもよく、異なっていてもよい。更に、全ての遠赤外線放射片収納体１５の平面形状が同じであってもよいが、全ての遠赤外線放射片収納体１５の平面形状を相違させることは、コスト等の面で通常はしない。また、遠赤外線放射片収納体１５の寸法も特に限定されないが、人手により敷設及び取り外し等をするときの重量、取り扱い易さ等を勘案して設定することが好ましい。
尚、遠赤外線放射材料は、頭部載置台１１１の下面側に配置させることもできる。この場合、必ずしも遠赤外線放射片収納体１５として配設する必要はなく、粒状又は細片等の形状の遠赤外線放射材料を頭部載置台１１１の下面側に撒布してもよく、遠赤外線放射材料からなる成形体を配設してもよい。
【００２３】
遠赤外線放射片収納体１５は、その平面形状が方形、即ち、長方形か正方形であることが好ましい。このような形状であれば、遠赤外線放射片収納体１５を容易にベッド基板１３の全面に敷き詰めることができる。また、形状、寸法を規格化し易く、規格化された遠赤外線放射片収納体１５であれば、他のベッドとの共用も容易である。遠赤外線放射片収納体１５は、例えば、平面形状が長方形形状であり、複数の遠赤外線放射片収納体１５が、各々の遠赤外線放射片収納体１５のそれぞれの短辺が枠体１１の一端側と他端側とを結ぶ方向となるように並設されている態様とすることができる（図２、３及び５、６参照）。このようにすれば、遠赤外線放射片収納体１５をベッド基板１３の上面に隙間なく敷き詰めることが容易であり、各々の遠赤外線放射片収納体１５の短辺の寸法も任意に設定でき、取り扱い易い遠赤外線放射片収納体１５とすることができる。
【００２４】
［５］ドーム
本考案の岩盤浴用ベッド１では、遠赤外線放射片収納体１５が敷設された部分を覆うドーム１６が配設されることが好ましい（図１〜６、１１及び１４、１５参照）。このようにドーム１６を配設することにより、ベッド基板１３に設けられた開孔１３１から水蒸気が供給される場合、ドーム１６内をサウナとしての作用、効果が十分に得られる雰囲気とすることができる。このドーム１６の材質は特に限定されず、金属、合成樹脂、木材等を用いることができる。また、ドーム１６の内面は、開孔１３１から水蒸気が供給される場合、水蒸気に曝されることになるため、優れた耐食性を有することが好ましく、少なくともドーム１６の基体はステンレス鋼等の耐食性の高い金属、ポリアミド、ポリオレフィン等の強度の大きい合成樹脂により形成することが好ましい。更に、軽量化の観点では、アルミニウム等の軽金属を用いたドーム１６が好ましく、耐食処理を施したアルミニウムを用いたドーム１６がより好ましい。
【００２５】
ドーム１６は、遠赤外線放射片収納体１５が敷設された部分の全長さを覆う一体品でもよく、長さ方向に分割された形態でもよい。長さ方向に分割された形態とする場合、例えば、頭部載置台１１１側の頭部載置台側ドーム部１６１と、枠体１１の他端側の他端側ドーム部１６２とに分割されており、頭部載置台側ドーム部１６１が他端側ドーム部１６２の方向へと移動可能であるドーム１６とすることができる（図１〜６及び１５参照）。この場合、頭部載置台側ドーム部１６１と他端側ドーム部１６２との各々の長さは特に限定されないが、それぞれの長さに大差がないことが好ましい。即ち、頭部載置台側ドーム部１６１の長さ（ａ）の、頭部載置台側ドーム部１６１の長さと他端側ドーム部１６２の長さとの合計長さ（ｂ）に対する割合［（ａ／ｂ）×１００］が４０〜６０％であることが好ましく、４５〜５５％であることがより好ましい（等長であってもよい。）。このようなドーム１６であれば、利用者の出入りが容易であり、頭部載置台側ドーム部１６１を他端側ドーム部１６２の方向へと移動させる場合（図２、３及び５、６参照）、移動の程度に応じて、利用者は自身の足先からどこまでをドーム１６内に置くかを調整することもできる。また、長さ方向に分割されたドーム１６である場合、頭部載置台側ドーム部１６１と他端側ドーム部１６２との、いずれの径が大きくてもよいが、径の差（一方の外径と他方の内径との差）は１５ｍｍ以下、特に１２ｍｍ以下であることが好ましい。例えば、頭部載置台側ドーム部１６１が大径である場合、頭部載置台側ドーム部１６１の内径と、他端側ドーム部１６２の外径との差は１５ｍｍ以下、特に１２ｍｍ以下であることが好ましい。
【００２６】
更に、頭部載置台側ドーム部１６１の枠体１１の一端側の方向の端部には、開閉可能なカバー部材１６１ａが取着されることが好ましい（図１〜４及び６参照）。このカバー部材１６１ａの材質は特に限定されず、合成樹脂フィルム、各種繊維からなる布等を用いることができる。カバー部材１６１ａの材質は、感触のよさ等の観点では布等が好ましい。一方、ベッド基板１３に設けられた開孔１３１から水蒸気が供給される場合は、優れた耐水性を有する合成樹脂フィルム等が好ましく、特に柔軟なフィルムがより好ましい。このようなカバー部材１６１ａを取着することにより、首回りの周縁から暖気及び水蒸気等が散逸するのを抑えることができる。
【００２７】
ドーム１６は、他端側ドーム部１６２の枠体１１の他端側の方向の端部を支軸として上方に回転可能とすることもできる（図５参照）。このようなドーム１６であれば、利用者の出入りがより容易である。また、遠赤外線放射片収納体１５の出し入れ、及びベッド基板１３及び面状発熱体１４等の清掃等も容易である。更に、ドーム１６は、他端側ドーム部１６２の枠体１１の他端側の方向の端部に開閉可能な蓋体１６２ａを取着することもできる（図１、４、５、１１及び１４参照）。この蓋体１６２ａの開閉により、利用者の下半身側における加温、加湿等の調節などをすることもできる。
【００２８】
ドーム１６は、内部に断熱材が充填された二重壁構造とすることもできる。この場合、ドーム１６の基体は前記のように金属により形成することができる。充填される断熱材は特に限定されず、例えば、ガラス繊維、カーボン繊維等の無機繊維からなる断熱材を用いることができる。また、ドーム１６の、頭部載置台側ドーム部１６１及び他端側ドーム部１６２の各々の内面に面状発熱体１６２ｂを配設することもできる（図５参照）。この面状発熱体１６２ｂを配設することにより、ドーム１６内を十分に加温することができ、且つドーム１６内の温度を容易に調節することもできる。
【００２９】
ドーム１６の配設方法はとくに限定されず、例えば、枠体１１の上面に形成された溝、又は枠体１１の上縁部に取り付けられた溝部材の上面に設けられた溝等に、幅方向の両端部を嵌め込んで配設させることができる。このようにして配設することにより、頭部載置台側ドーム部１６１を他端側ドーム部１６２の方向へと容易に移動させることができる。特に、頭部載置台側ドーム部１６１の幅方向の両端部に車を取り付け、必要に応じて溝部内にレールを取り付ければ、頭部載置台側ドーム部１６１をより容易に移動させることができる。
【００３０】
［６］水蒸気及び芳香供給手段
本考案の岩盤浴用ベッド１は、ドーム１６に加えて更にベッド基板１３の下方に水蒸気供給手段１７１を有することが好ましい。この水蒸気供給手段１７１から供給される水蒸気は、ベッド基板１３に設けられた開孔１３１からドーム１６内に導入され、ドーム１６内をサウナとしての作用、効果が十分に得られる雰囲気とすることができる。水蒸気供給手段１７１の構成は特に限定されず、例えば、加熱水用容器１７１ａと、その上面を覆うための蓋体１７１ｂとを備え、蓋体１７１ｂが複数の開口部１７１ｃを有するものとすることができる（図１１〜１３参照）。この水蒸気供給手段１７１は、更に加熱水用容器を加熱し、水蒸気を発生させるための加熱手段を備える（図示せず）。加熱手段は特に限定されず、電熱、及び容器壁内に設けられた流路にオイル等の熱媒体を流通させる手段などが挙げられる。
【００３１】
水蒸気供給手段１７１は、水蒸気供給手段収納部１７の内部底面に設けられた凹部を加熱水容器部とする水蒸気供給手段収納部１７と一体に形成されたものとすることもできる。この場合、複数の開口部を有する蓋体により凹部を覆うようにしてもよい。また、電熱、及び加熱水容器部の下方に設けられた流路にオイル等の熱媒体を流通させる手段等により、凹部の下方から加熱し、水蒸気を発生させる構造とすることができる。
【００３２】
水蒸気供給手段１７１は、上記のように、ベッド基板１３の下方で水蒸気を生成させ、供給するものばかりでなく、岩盤浴用ベッド１から離れた位置に配置された水蒸気発生源から各々の岩盤浴用ベッド１に配管を配設し、水蒸気発生源において発生した水蒸気を配管を通じて供給する態様とすることもできる。このようにすれば、それぞれの岩盤浴用ベッド１への水蒸気供給バルブの開閉等により、水蒸気の供給、停止を容易に操作することができる。また、バルブの開度により、各々の岩盤浴用ベッド１への水蒸気の供給量を容易に調整することもできる。
【００３３】
水蒸気供給手段１７１から水蒸気が供給される場合、水蒸気に加えて芳香供給手段により更に芳香が供給されることが好ましい。この芳香は、水蒸気に同伴して供給されるものであればよく、特に限定されない。例えば、水に溶解する芳香剤から生じる芳香でもよく、油状で水面に浮遊するような芳香剤から生じる芳香でもよい。これらは、加熱水用容器１７１ａ又は水蒸気供給手段収納部１７の内部底面に設けられた凹部等に入れられた水に予め溶解させ、又は浮遊させ、水蒸気の発生とともに気化させて同伴させ、供給することができる。
【００３４】
また、水蒸気発生源から各々の岩盤浴用ベッド１に水蒸気が供給させる態様であるときは、水蒸気発生源において予め芳香剤を水に溶解させ、又は浮遊させ、水蒸気の発生とともに気化させて同伴させ、それぞれの岩盤浴用ベッド１に芳香を供給することができる。更に、水蒸気発生源からは水蒸気のみを供給し、各々の岩盤浴用ベッド１に供給される水蒸気を、容器に入れられた芳香剤が溶解した水又は芳香剤が浮遊した水中に導入して通過させ、水蒸気と芳香剤とを接触させて気化させ、水蒸気に同伴させて供給することもできる。芳香は、水に溶解又は浮遊させた芳香剤により供給する方法の他、水蒸気供給手段１７１が収納された水蒸気供給手段収納部１７内に置かれた芳香剤により供給することもできる。この場合、温度上昇によって気化が促進された芳香剤が、水蒸気に同伴されて供給されることになる。
【００３５】
［７］蒸気散逸防止用フード
水蒸気供給手段１７１から水蒸気及び芳香が供給される場合、これらが岩盤浴用ベッド１の周辺に散逸するのを防止するため、枠体１１の下面のうちの頭部載置台１１１の下面を除く部分と、水蒸気供給手段１７１が収納された水蒸気供給手段収納部１７の上面との間に蒸気散逸防止用フード１８が配設される（図１〜６、１１及び１４、１５参照）。この蒸気散逸防止用フード１８の材質は特に限定されず、金属、合成樹脂等を用いることができるが、形状維持の面から金属であることが好ましい。また、蒸気散逸防止用フード１８は水蒸気に曝されることが多いため、優れた耐食性を有することが好ましく、少なくとも蒸気散逸防止用フード１８の基体はステンレス鋼等の耐食性の高い金属により形成することが好ましい。更に、軽量化の観点では、アルミニウム等の軽金属を用いた蒸気散逸防止用フード１８が好ましく、耐食処理を施したアルミニウムを用いた蒸気散逸防止用フード１８がより好ましい。
【００３６】
蒸気散逸防止用フード１８は、例えば、ステンレス鋼及び耐食処理を施したアルミニウム等の金属板により形成することができるが、外気により水蒸気等が降温して液化することがあるため、この降温、液化を抑えるため、蒸気散逸防止用フード１８は、内部に断熱材が充填された二重壁構造とすることもできる。この場合、蒸気散逸防止用フード１８の基体は前記のように金属により形成することができる。充填される断熱材は特に限定されず、例えば、ガラス繊維、カーボン繊維等の無機繊維からなる断熱材を用いることができる。
【００３７】
［８］水滴受け皿
外気により水蒸気等が降温して凝縮することは、上記のように、蒸気散逸防止用フード１８を、内部に断熱材が充填された二重壁構造とすること等によって抑えることはできるが、水蒸気等の凝縮を皆無にすることはできない。従って、凝縮により生成した水が蒸気散逸防止用フード１８の内面を流下し、水蒸気供給手段収納部１７の下方へと流出することがある。この流出した水が岩盤浴用ベッド１の周辺の床面に滞留するのを防止するため、岩盤浴用ベッド１の水蒸気供給手段収納部１７の下面に水滴受け皿１９を配置することが好ましい（図１４、１５参照）。この水滴受け皿１９は、水蒸気供給手段収納部１７の下面に出し入れ可能とすることが好ましく（図１５参照）、このようにすれば、水量をみながら、又は定期的に引き出し、水滴受け皿１９に溜まった水を容易に廃棄することができる。
【実施例】
【００３８】
以下、実施例により本考案を具体的に説明する。
実施例1
［１］枠体、脚体及びベッド基板
幅５０ｍｍ、高さ２００ｍｍの木材からなり、幅（内寸法）９００ｍｍ×長さ（内寸法）２０００ｍｍの枠体１１を作製した。また、この枠体１１の一端側に、厚さ２５ｍｍの木材からなり、枠体１１の長手方向の一端側の内寸と同幅であって、且つ枠体１１の長手方向における長さが３５０ｍｍである頭部載置台１１１を設けた。更に、枠体１１の一端側と他端側の各々の幅方向の両端部に縦４０ｍｍ、横１００ｍｍ、長さ６００ｍｍの木材からなる４本の脚体１２を設けた。また、枠体１１の長さ方向の内側面間の枠体１１の内側の上面から１１０ｍｍの位置に、断面２０×７０ｍｍの金属からなる支持部材を等間隔に６本架け渡した。更に、枠体１１の内側の上面から８７ｍｍの位置に、厚さ３ｍｍのステンレス鋼板からなるベッド基板１３を支持部材により支持された状態で螺子止めして配設した。このベッド基板１３には、楕円形状の多数の開孔１３１がベッド基板１３の幅方向に設けられてなる複数の帯状体が形成されており、開孔１３１が設けられていない部分の上面に幅２００ｍｍの帯状の面状発熱体１４を配設した。尚、開孔１３１は、後記の水蒸気供給手段１７１が配設されている枠体１１の一端側（利用者の上体側）では多数（従って、開孔の面積割合も大きい。）設け、枠体１１の他端側（利用者の足側）では相対的に少数（従って、開孔の面積割合も小さい。）設けた。
【００３９】
［２］遠赤外線放射片収納体
ポリエチレン樹脂からなる網状体１５１に、直径が１０ｍｍのアルミナ製の球状体からなる多数の遠赤外線放射片１５２を収納し、平面形状が２００×９００ｍｍの長方形である遠赤外線放射片収納体１５を作製した。また、この遠赤外線放射片収納体１５を、ベッド基板１３の上面及び面状発熱体１４の表面に、それぞれの短辺が枠体１１の一端側と他端側とを結ぶ方向となるように１０個並設した。
【００４０】
［３］ドーム
基体が厚さ１ｍｍのアルミニウム板からなり、内部に断熱材としてガラス繊維が充填された二重壁構造を有する断面が半円状のドーム１６を、遠赤外線放射片収納体１５が敷設された部分を覆うようにして配設した。このドーム１６は、枠体１１の上縁部に取り付けられた溝部材の上面に設けられた溝に、幅方向の両端部が嵌め込まれて配設されている。また、ドーム１６は、頭部載置台１１１側の内径（半径）４５０ｍｍの頭部載置台側ドーム部１６１と、他端側の外径（半径）４４０ｍｍの他端側ドーム部１６２とに２分割されており、頭部載置台側ドーム部１６１は他端側ドーム部１６２の方向へと移動可能である。更に、頭部載置台側ドーム部１６１の枠体１１の一端側の方向の端部には、ポリエチレン製の開閉可能なカバー部材１６１ａが取着され、枠体１１の他端側の方向の端部には、発泡ポリエチレン製の開閉可能な蓋体１６２ａが取着されている。
【００４１】
また、ドーム１６の頭部載置台側ドーム部１６１及び他端側ドーム部１６２の各々の内面には、幅５０ｍｍの帯状の面状発熱体１６２ｂが７０ｍｍ間隔で等間隔に配設されている。更に、ドーム１６は、他端側ドーム部１６２の枠体１１の他端側の方向の端部の外側面に設けられた凸状体が、枠体１１の内側面に設けられた凹部に嵌装され、これを支軸として上方に回転可能となっている。
【００４２】
［３］水蒸気供給手段及び蒸気散逸防止体
ベッド基板１３の下方には、金属製の鍋状の加熱水用容器１７１ａと、複数の開口部１７１ｃを有し、加熱水用容器１７１ａの上面を覆っている蓋体１７１ｂとを備える水蒸気供給手段１７１が配設されている。この加熱水用容器１７１ａは加熱手段である電熱により加熱され、容器に入れられていた水が加熱され、発生した水蒸気がドーム１６内に供給される。また、加熱水用容器１７１ａには芳香剤が入れられており、この芳香剤が加熱により気化し、水蒸気に同伴されてドーム１６内に供給される。
【００４３】
更に、枠体１１の下面のうちの頭部載置台１１１の下面を除く部分と、水蒸気供給手段１７１が収納された水蒸気供給手段収納部１７の上面との間には、厚さ２ｍｍのアルミニウム板からなる蒸気散逸防止用フード１８が配設されている。また、水蒸気供給手段収納部１７の下面には、ステンレス鋼板からなり、水蒸気供給手段収納部１７の下面から引き出すことができる水滴受け皿１９が配置されている。
【００４４】
本考案は、上記の考案の実施の形態に限られず、目的、用途に応じて、本考案の範囲において種々変形した実施の形態とすることができる。例えば、利用者が遠赤外線放射片収納体１５上に直接仰臥したときでも十分に感触がよく、併せて適度なマッサージ効果も得られるが、必要に応じて、遠赤外線放射片収納体１５上にバスタオル、シーツ等を敷き、その上に仰臥してもよい。また、頭部載置台１１１の上面にタオル等を敷いてもよく、よりクッション性を必要とするときは、枕等を置いてもよい。更に、頭部載置台１１１そのものをクッション性を有する材質により形成してもよく、木材等からなる載置部の上面に、樹脂発泡体等からなるクッション材と、このクッション材を覆うビニルレザー等からなる被覆材とにより頭部載置台１１１を形成してもよい。
【図面の簡単な説明】
【００４５】
【図１】遠赤外線放射片収納体が敷設された部分を覆うドームが配設され、このドームが閉じられた岩盤浴用ベッドを、頭部載置台側、且つ上方からみた模式的な斜視図である。
【図２】頭部載置台側ドーム部が他端側ドーム部の方向へと移動され、頭部載置台側ドーム部に取着されたカバー部材が閉じられた岩盤浴用ベッドを、頭部載置台側、且つ上方からみた模式的な斜視図である。
【図３】図２においてカバー部材が開けられた岩盤浴用ベッドを、頭部載置台側、且つ上方からみた模式的な斜視図である。
【図４】遠赤外線放射片収納体が敷設された部分を覆うドームが配設され、このドームが閉じられた岩盤浴用ベッドを、他端側ドーム部側、且つ上方からみた模式的な斜視図である。
【図５】頭部載置台側ドーム部が他端側ドーム部の方向へと移動され、他端側ドーム部の端部を支軸として上方に回転された岩盤浴用ベッドを、頭部載置台側、且つ上方からみた模式的な斜視図である。
【図６】ベッド基板の上面の面状発熱体が配設されていない他部と面状発熱体の表面とに複数の遠赤外線放射片収納体が敷設された様子を、頭部載置台側、且つ上方からみた模式的な斜視図である。
【図７】網状体と、この網状体に収納された遠赤外線放射片との模式的な斜視図である。
【図８】頭部載置台の内側に配設され、一部に多数の開孔が設けられ、開孔が設けられていない部分の上面の一部に面状発熱体が配設されたベッド基板を、頭部載置台側、且つ上方からみた模式的な斜視図である。
【図９】面状発熱体が蛇行している他は図８と同様の模式的な斜視図である。
【図１０】面状発熱体が格子状になっている他は図８と同様の模式的な斜視図である。
【図１１】加熱水用容器が収納された水蒸気供給手段収納部が引き出された様子を、他端側ドーム部側、且つ上方からみた模式的な斜視図である。
【図１２】加熱水用容器と、その上面を覆う蓋体との模式的な斜視図である。
【図１３】加熱水が入れられた加熱水用容器と、取り外された蓋体との模式的な斜視図である。
【図１４】水滴受け皿を引き出した様子を、他端側ドーム部側、且つ上方からみた模式的な斜視図である。
【図１５】枠体の下面の蒸気散逸防止用フード及び水蒸気供給手段収納部の様子を、頭部載置台側ドーム部側、且つ下方からみた模式的な斜視図である。
【符号の説明】
【００４６】
１；岩盤浴用ベッド、１１；枠体、１１１；頭部載置台、１２；脚体、１３；ベッド基板、１３１；開孔、１４；面状発熱体、１５；遠赤外線放射片収納体、１５１；網状体、１５２；遠赤外線放射片、１６；ドーム、１６１；頭部載置台側ドーム部、１６１ａ；カバー部材、１６２；他端側ドーム部、１６２ａ；蓋体、１６２ｂ；他端側ドーム部の内面に配設された面状発熱体、１７；水蒸気供給手段収納部、１７１；水蒸気供給手段、１７１ａ；加熱水用容器、１７１ｂ；蓋体、１７１ｃ；開口部、１７２；芳香剤が入れられた水、
１８；蒸気散逸防止体、１９；水滴受け皿。
【図１】
0003127019.tif 000003
【図２】
0003127019.tif 000004
【図３】
0003127019.tif 000005
【図４】
0003127019.tif 000006
【図５】
0003127019.tif 000007
【図６】
0003127019.tif 000008
【図７】
0003127019.tif 000009
【図８】
0003127019.tif 000010
【図９】
0003127019.tif 000011
【図１０】
0003127019.tif 000012
【図１１】
0003127019.tif 000013
【図１２】
0003127019.tif 000014
【図１３】
0003127019.tif 000015
【図１４】
0003127019.tif 000016
【図１５】
0003127019.tif 000017